(57)【要約】【課題】遊技盤の着脱作業を容易化した遊技盤の仮支持機構を提供する。【解決手段】所定の遊技領域ＰＡが形成された遊技盤２１と、この遊技盤を着脱可能に収容して遊技領域をガラス扉に臨むように配設させる枠部材１１と、枠部材１１に固定位置と開放位置とに揺動変位可能に取り付けられ、枠部材に収容された遊技盤２１と係脱可能に係合して固定位置において遊技盤２１を枠部材に固定保持させる固定金具６３と、この固定金具６３と一体的に揺動変位して固定金具６３が開放位置に位置したときに仮止め位置に配設される仮止め金具６５とを備え、仮止め金具６５が仮止め位置にある状態では、仮止め金具６５が遊技盤２１と係脱可能に係合して遊技盤２１を着脱可能に収容するとともに、枠部材１１に収容された遊技盤２１を収容姿勢で仮止め支持するように仮支持機構６０を構成する。【選択図】　図７
2004024295.tif 000002
【特許請求の範囲】
【請求項１】
遊技釘および入賞具を有して所定の遊技領域が形成された遊技盤と、
前記遊技盤を着脱可能に収容して前記遊技領域をガラス扉に臨むように配設させる枠部材と、
前記枠部材に固定位置と開放位置とに変位可能に取り付けられ、前記枠部材に収容されて収容姿勢に位置した前記遊技盤と係脱可能に係合し、前記固定位置において前記遊技盤を前記枠部材に固定保持させる固定部材と、
前記固定部材と一体的に変位可能に取り付けられ前記固定部材が前記開放位置に位置したときに仮止め位置に配設される仮止め部材とを備え、
前記仮止め位置では、前記遊技盤が前記枠部材に着脱可能に収容されるとともに、前記仮止め部材が前記遊技盤と係脱可能に係合して前記収容された遊技盤を前記収容姿勢で仮止め支持することを特徴とする遊技盤の仮支持機構。
【発明の詳細な説明】
【０００１】
【発明の属する技術分野】
本発明は、所定の遊技領域が形成された遊技盤を着脱可能に収容する枠部材と、この枠部材に収容された遊技盤を収容姿勢に固定保持する固定機構とを備え、固定機構により遊技盤が固定保持された状態で遊技に供される遊技機に関し、さらに詳細にはこのような遊技機において遊技盤の着脱作業を容易化した遊技盤の仮支持機構に関する。
【０００２】
【従来の技術】
上記のような遊技機としてパチンコ機、アレンジボール機、いわゆる雀球遊技機などがある。この種の遊技機の代表例として例示されるパチンコ機では、案内レールで囲まれた遊技領域内に多数本の遊技釘や風車、種々の入賞具等が所定のゲージ設定で配設された遊技盤を有し、この遊技盤の遊技領域に打球発射装置から遊技球を打ち出して入賞具に落入させ入賞条件に応じた賞球の払出を受けることで、その賞球の増減を通して遊技を展開するように構成されている。
【０００３】
遊技盤は、上下の球皿や打球発射装置の操作ハンドルなどが設けられた前枠の前面側もしくは裏面側、または、遊技球を貯留するタンク部材や球払出装置などの賞球機構が設けられて前枠の裏側に配設される裏機構枠の前面側などに取り付けられ、前枠の前面側に横開き開閉可能に取り付けられたガラス扉を通して遊技領域を遊技者に臨ませるように構成される。
【０００４】
ここで、遊技盤の取付構造は、機種変更時における組み立て工程の対応の迅速化や遊技施設における遊技盤の交換作業容易化等のため着脱交換可能に構成することが望ましい。このため、例えば、遊技盤を遊技機の正面側から前枠の前面側に着脱させる形態（本明細書において便宜的に「前枠前方着脱形態」という）の遊技機にあっては、ガラス扉の背後に位置する前枠の前面側に遊技盤の外形寸法よりもわずかに大きめな枠寸法を有する額縁状の収容枠を設けて前枠の前方から遊技盤を着脱可能に収容させるとともに、この収容枠に遊技盤を固定する固定機構を設け、収容枠に収容された遊技盤を固定保持するように構成されている。
【０００５】
【発明が解決しようとする課題】
ところが、上記のような従来の遊技盤取付構造では、作業者が遊技盤を収容枠に収容させた後、固定機構により遊技盤を固定保持させるまでの間は、遊技盤が収容枠に収められただけの状態であり、例えば上記した前枠前方着脱形態の遊技機にあっては、遊技盤を後方に押圧する押圧力を緩めると遊技盤の上部が前方に倒れ出てきたり遊技盤の下部が前方に滑り出てきて、遊技盤を落下させてしまったり遊技盤の裏面側に接続したコネクタケーブルを破損させてしまうおそれ等があった。
【０００６】
このため、作業者は遊技盤を収容枠に収容させた後、片方の手で遊技盤を押さえながら他方の手で固定機構を操作して遊技盤の固定作業を行わざるを得ず、熟練作業者にとっても作業が繁雑であるという問題があった。特に遊技機を遊技施設に設置した後の盤面交換作業は遊技盤の着脱を習熟していない作業者が行うことが多く、このような作業者であっても容易かつ安全に遊技盤の着脱交換を行うことができる遊技機が求められていた。
【０００７】
本発明は、上記のような問題に鑑みて成されたものであり、遊技盤の着脱作業を容易化して作業性を向上させた遊技機を提供することを目的とする。
【０００８】
【課題を解決するための手段】
上記目的を達成するため、本発明は、遊技釘および入賞具を有して所定の遊技領域が形成された遊技盤と、この遊技盤を着脱可能に収容して遊技領域をガラス扉に臨むように配設させる枠部材（例えば実施形態における前枠２）と、枠部材に固定位置と開放位置とに変位可能に取り付けられ、枠部材に収容されて収容姿勢に位置した遊技盤と係脱可能に係合し固定位置において遊技盤を枠部材に固定保持させる固定部材（例えば実施形態における固定金具６３）と、固定部材と一体的に変位可能に取り付けられ固定部材が開放位置に位置したときに仮止め位置に配設される仮止め部材（例えば実施形態における仮止め金具６５）とを備え、仮止め部材が仮止め位置にある状態（固定部材が開放位置にある状態）では、遊技盤が枠部材に着脱可能に収容されるとともに、仮止め部材が遊技盤と係脱可能に係合し、枠部材に収容された遊技盤を収容姿勢で仮止め支持するように遊技盤の仮支持機構（例えば実施形態における仮支持固定機構６０）を構成する。
【０００９】
上記構成の仮支持機構では、遊技盤を固定する固定部材と一体的に変位する仮止め部材が設けられており、遊技盤を着脱するに際して固定部材を開放位置に変位させると仮止め部材がこれとともに変位して仮止め位置に配設される。この仮止め位置では、遊技盤が収容枠に着脱可能な状態になり、仮止め部材が枠部材に収容された遊技盤と係脱可能に係合して遊技盤を収容姿勢で仮止め支持する。このため、仮止め部材を仮止め位置に位置させて遊技盤を収容させると、遊技盤が仮止め部材と係合して収容姿勢に仮止め支持され、作業者が手を離しても遊技盤が収容姿勢のまま保持される。従って、作業者が遊技盤を押さえていなくても遊技盤が傾動したり滑り出たりするようなことがなく、熟練作業者でなくとも容易かつ安全に盤面交換を行うことができる。
【００１０】
なお、上記「枠部材」とは、遊技盤を着脱可能に収容して遊技領域をガラス扉に臨むように配設させる部材をいい、例えば、遊技盤を収容する収容枠が前枠の前面側または裏面側に設けられる場合（前枠前方着脱形態または前枠後方着脱形態の遊技機）における前枠や、収容枠が裏機構枠の前面側に設けられる場合（裏機構枠前方着脱形態の遊技機）における裏機構枠などをいう。また「収容姿勢」とは遊技盤を枠部材の内側に位置させた姿勢をいい、遊技盤を枠部材の内部に位置させた収容姿勢から、固定手段によって遊技盤を固定保持させる過程で押圧力等により遊技盤が一定程度変位するような場合における変位前の姿勢を含む概念である。
【００１１】
【発明の実施の形態】
以下、本発明の好ましい実施形態について図面を参照しながら説明する。本発明に係る遊技盤の仮支持機構を備えた遊技機の代表例として、遊技盤を遊技機の正面側から前枠の前面側に着脱する前枠前方着脱形態のパチンコ機ＰＭを図１および図２に示しており、まず、これら両図を参照しながらパチンコ機ＰＭの全体構成について要約説明する。ここで、図１はパチンコ機ＰＭを正面側から見た正面図、図２はパチンコ機ＰＭを裏面側から見た背面図である。なお、図２では遊技盤の裏面中央部の記載を省略している。
【００１２】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁に配設された上下のヒンジ機構３ａ，３ｂにより横開き開閉および着脱が可能に取り付けられ、常には右側縁に設けられた施錠装置４を利用して外枠１に閉鎖施錠された状態で保持される。
【００１３】
前枠２の正面側には、前枠２の前面域に合わせた方形状のガラス扉５と、遊技球を貯留する球皿部を有して横長方形状の上球皿６とが、ともに左側縁に内蔵されたヒンジ機構により横開き開閉および着脱が可能に組付けられ、常には施錠装置４および図示省略するロック機構を利用して前枠２の前面を覆う閉止状態で保持される。ガラス扉５の中央部にはポリカーボネート板やガラス板等の透明板材５ａ，５ｂが取り付けられており、背後に位置する遊技盤２０を透視可能になっている。前枠２の下部には遊技球を貯留する下球皿７設けられ、この下球皿７と並んで遊技球の発射操作を行う操作ハンドル８が取り付けられている。
【００１４】
前枠２の上部には、後に詳述する収容枠１０が形成されており、この収容枠１０に遊技盤２０が固定保持されてその前面域がガラス扉５に臨むように配設される。遊技盤２０は所定形状にルータ加工された厚さ１９ｍｍ程度の積層合板の表面にセルを貼り付けた化粧板（ベニヤとも称される）２１を基板として構成される。化粧板２１の前面側には、帯状の外レール２４ａおよび内レール２４ｂが円弧状に固設され、これらの案内レール２４ａ，２４ｂで囲まれた内側に遊技領域ＰＡが区画される。遊技領域ＰＡには、多数本の遊技釘とともにランプ風車２５ａや一般風車２５ｂ等の風車２５、一般入賞具２６ａや始動入賞具２６ｂ並びに大入賞口を備えたアタッカー２６ｃ等の入賞具２６、および遊技の進行状況に応じて所定の図柄を表示させる図柄表示装置２８などが取り付けられ、遊技領域ＰＡの下端には入賞具２６に入賞せずに落下した遊技球を遊技盤２０の裏面側に排出させるアウト口２７が設けられている。案内レール２４ａ，２４ｂの外側には効果照明を行うためのランプ具２３が取り付けられている。
【００１５】
前枠２の裏面下部には、遊技球を外レール２４ａに向けて発射する打球発射装置９、および操作ハンドル８の回動操作を受けて打球発射装置９の作動を制御する発射装置制御基板Ｂ２が取り付けられている。前枠２の上下中間領域には遊技補助盤と称される補助機構部が形成され、その前面側に打球発射装置９によって打ち出された遊技球を外レール２４ａに案内する発射レールや、遊技領域ＰＡに到達できずに打球発射装置９側に戻ってきたファール球を下球皿７に排出させるファール球回収経路部材、遊技の展開状況に応じた効果音を発生させるスピーカなどが取り付けられている。遊技補助盤は上球皿６の背後に位置しており、常には閉鎖保持される上球皿６によりその前面側が覆われている。
【００１６】
前枠２の背後に位置して、裏セット盤（裏機構盤とも称される）３０が取り付けられる。裏セット盤３０は、外枠１の内寸サイズよりも幾分小さめの方形状をなし中央に表裏貫通する窓口３１ｗを有して一体成形された基枠体３１をベースとして構成される。
【００１７】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材３５、タンク部材３５から供給される遊技球を整列させて流下させる整列樋部材３６、整列樋部材から供給される遊技球を受けて所定数量の遊技球を待機保持させる賞球待機通路３７、賞球待機通路３７に待機された遊技球を所定の入賞条件等に基づいて払い出す球払出装置３８、球払出装置３８から払い出された遊技球を上下の球皿６，７に導く賞球払出経路３９などの賞球装置よび賞球経路が設けられている。
【００１８】
一方、基枠体３１の前面側には、窓口３１ｗの下方に位置して遊技盤２０の裏面側に排出されたアウト球およびセーフ球などを集合させる集合経路が形成され、基枠体３１の裏面側には集合経路と繋がって集合された遊技球を遊技施設側の回収バケットに排出させる球排出経路が形成されている。裏セット盤３０は、基枠体３１の側縁部上下に取り付けられた揺動ヒンジ部材３２，３３を介して前枠２の背後に横開き開閉および着脱可能に装備され、常には３カ所の閉鎖レバー３４を利用して前枠２の背面および化粧板２１の背面を覆うように閉鎖保持される。
【００１９】
また、裏セット盤３０の裏面各部には、パチンコ機ＰＭの作動を統括的に制御するメイン基板Ｂ１や、メイン基板Ｂ１からの指令信号に基づいて球払出装置の作動制御を行う球払出基板Ｂ３、効果照明や効果音の作動制御を行うランプ・音声制御基板Ｂ４、これらの制御基板や各種電子機器等に電力を供給する電源基板Ｂ５などの回路基板が着脱交換可能に取り付けられ、各回路基板や電子機器が図示しないワイヤーハーネスで接続されてパチンコ機ＰＭが構成される。
【００２０】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００２１】
このように概要構成されるパチンコ機ＰＭにあって、図３に、ガラス扉５や上下の球皿６，７、操作ハンドル８、遊技盤２０、裏セット盤３０などの遊技構成部品を取り外した状態の前枠２の正面図を示すように、前枠２の上部に遊技盤２０を収容する収容枠１０が形成され、この収容枠１０に遊技盤２０を係止する係止機構５０、収容された遊技盤２０を収容姿勢で仮止め支持および固定する仮支持固定機構６０、収容された遊技盤２０を固定する固定機構８０が設けられている。これらの各機構５０，６０，８０は常には閉鎖施錠されるガラス扉５、上球皿６にその前面域が覆われる位置に配設されており、外観上パチンコ機の意匠に影響を与えることなく、また遊技者に各機構を認識させない構成となっている。
【００２２】
収容枠１０は、前枠２の裏面方向に延びて形成された壁面構成の上方枠部１１、下方枠部１２、右方枠部１３および左方枠部１４からなり、これら上下左右の枠部１１，１２，１３，１４が遊技盤２０の周囲を取り囲むように前枠２と一体に形成される。収容枠１０における左右枠部１３，１４の内面間隔は化粧板２１の幅寸法よりも１〜２ｍｍ程度大きく形成され、上下枠部１１，１２の内面間隔は化粧板２１の高さ寸法よりも数ｍｍ程度大きく形成されている。また、収容枠１０の各部には、各枠部の内面から収容枠１０の内側に向けて突出する舌片状ないしコーナ枠状の当て板部１１ａ，１２ａ，１３ａ，１４ａが形成されている。各当て板部１１ａ，１２ａ，１３ａ，１４ａは、収容枠１０の後方に突出しないように枠内に形成されており、収容枠１０の後端面が平坦になるように構成されている。
【００２３】
一方、化粧板２１の裏面側には、当て板部１１ａ，１２ａ，１３ａ，１４ａの形成位置に合わせて当て板受容部４１ａ，４２ａ，４３ａ，４４ａ（図４〜図１３を参照。後に詳述する）が形成されている。各当て板受容部４１ａ，４２ａ，４３ａ，４４ａは、当て板部１１ａ，１２ａ，１３ａ，１４ａの位置及び形状に合わせて化粧板２１の裏面を当て板部の厚さ分ザグリ加工することによって形成され、化粧板２１を収容枠１０に収容保持させたときに、収容枠１０の後端面と化粧板２１の裏面とが位置整合して平坦になるように構成されている。
【００２４】
さて、このように構成される収容枠１０にあって、下方枠部１２の左右２カ所に係止機構５０が配設されている。図３中の矢印ＩＶ方向に見た係止機構５０近傍の側断面図を図４に、この機構５０を収容枠１０の裏面側から見た斜視図を図５に示しており、以下、これらの図面を参照しつつ係止機構５０について説明する。
【００２５】
係止機構５０は、下方枠部１２を挟持するように取り付けられて上方に突出する係止金具５１を主体として構成される。係止金具５１は下方枠部１２の上面に支持されるベース部５１ａ、ベース部５１ａの前側が上向きに折り曲げられて上方に突出する係止辺部５１ｂ、ベース部５１ａの後側が下向きに折り曲げられて下方に延びる後方辺部５１ｃ、後方辺部５１ｃの下部が前方に折り返されてベース部５１ａと平行に延び下方枠部１２を上下に挟持する挟持辺部５１ｄ、挟持辺部５１ｄの前端側が下向きに折り曲げられて下方に延びネジ５８を挿通させる取付孔が穿設された固定辺部５１ｅなどから構成される。
【００２６】
係止辺部５１ｂの後面と後方辺部５１ｃの後端面との間隔、すなわちベース部５１ａの上面の前後方向寸法は、化粧板２１の板厚と同一またはこれよりわずかに小さめに設定されている。また係止辺部５１ｂの上端部は前方に向けて緩やかに曲げ成形され、化粧板２１の下端部を滑らかに受容して案内するとともに、化粧板表面のすり傷発生を防止している。係止金具５１は、板厚１〜２ｍｍ程度のステンレス鋼板や冷間圧延鋼板等の金属材料をパンチングやベンディング、プレス成形等の公知の加工手段を用いて図示する形状に成型し、必要に応じて所要の表面処理を施して形成する。
【００２７】
一方、係止金具５１の取付け位置には、下方枠部１２の後縁部が係止金具５１の板厚分切り欠かれて受容切り欠き部１２ｃが形成されており、係止金具５１が取り付けられたときに受容切り欠き部１２ｃに係止金具５１の後方辺部５１ｃを受容して、後方辺部５１ｃの後端面が左右の下方枠部１２を含む収容枠１０の後端面と同一面上に配設されるようになっている。受容切り欠き部１２ｃの下方には固定辺部５１ｅの前面を支持する円筒状のボス１２ｂが形成され、その中心部にネジ５８を受容するネジ受容部が形成されている。
【００２８】
また、下方枠部１２の左右側端には、下方枠部１２と左右の枠部１３，１４との間を繋いでコーナ枠状の当て板部１２ａ，１２ａが形成され、化粧板２１の裏面側の左右角部には当て板部１２ａの形状に合わせて当て板部１２ａの厚さ分ザグリ加工された当て板受容部４２ａが形成されている。化粧板２１の下端縁部は裏面側の角部が斜めにカットされ逃げ面４２ｅが形成されている。
【００２９】
係止金具５１は、受容切り欠き部１２ｃの形成位置に合わせて下方枠部１２の上面にベース部５１ａを載置し、係止金具５１を前方にスライド移動させてベース部５１ａと挟持辺部５１ｄとの間に下方枠部１２を挟持させるように嵌合接続させ、固定辺部５１ｅの後方から取付孔を通してネジ５８をボス１２ｂに螺合締結させることで、下方枠部１２に取り付けられる。
【００３０】
こうして係止金具５１が取り付けられると、ベース部５１ａが下方枠部１２の上面に支持され、係止辺部５１ｂが下方枠部１２の前側で上方に突出するように配設される。後方辺部５１ｂの後端面は収容枠１０の後端面と同一面上に配設され、係止辺部５１ｂはその後面と収容枠１０の後端面との間の前後方向寸法が化粧板２１の板厚と同一寸法もしくはわずかに小さめとなる前後方向位置に配設される。
【００３１】
このように構成される係止機構５０に遊技盤２０を装着する際には、ガラス扉５および上球皿６を開放させた状態で、遊技盤２０の前面側から化粧板２１の左右側縁部を把持して遊技盤２０をわずかに前傾姿勢に支持し、化粧板２１の下端部を係止辺部５１ｂの上方から収容枠１０内に斜めに挿入する。
【００３２】
ここで、当て板部１２ａの高さは、図３および図４に示すように、係止辺部５１ｂの突出高さよりも大きく形成されている。このため、化粧板２１の下端部を収容枠内に斜めに挿入したときに、左右の当て板受容部４２ａがそれぞれ当て板部１２ａの前面に係合してガイドされ、そのまま化粧板２１を下方にスライド移動させることで、化粧板前面の適正位置に左右２カ所の係止辺部５１ｂを係合させることができる。この係止辺部５１ｂの上端部は前方に向けて緩やかに曲げ成形されているため、下方にスライド移動された化粧板２１はその下端部が滑らかにベース部５１ａに導かれ、このとき係止辺部５１ｂおよびベース部５１ａが弾性変形して化粧板２１を傾斜姿勢で受容する。これにより、遊技盤２０が前傾姿勢でベース部５１ａ上に弾性的に付勢支持される。
【００３３】
また、化粧板２１の裏面下端部には逃げ面４２ｅが形成されているため、遊技盤２０を傾斜姿勢で挿抜し、あるいは上下に揺動させても化粧板２１の下端部が収容枠１０の後端面よりも後方に突出することがなく、裏セット盤３０が収容枠１０の後端面と密着するように閉鎖保持されている状態で着脱作業を行っても、裏セット盤３０に無理な応力を発生させるようなことがない。
【００３４】
さらに、係止金具５１の後端側はコの字状に折り曲げられて挟持辺部５１ｄが形成され下方枠部１２を挟持するように構成されている。このため、係止辺部５１ｂを前方に傾けるような力が作用して係止辺部５１ｂおよびベース部５１ａが弾性変形しても、挟持辺部５１ｄがこの力を下方枠部１２に伝達して支持させ、固定辺部５１ｅに直接作用しないようになっている。従って、ネジ５８を介してボス１２ｂに過大な曲げモーメントや引っ張り力が作用することがなく、ボス１２ｂが破断したりネジ受容部が損傷したりすることがない。また、このように係止金具を屈曲形成することにより弾性変形可能な領域長を長く取ることができ、柔軟かつ塑性変形しにくい係止機構を小型に構成することができる。
【００３５】
なお、実施例では係止金具における係止辺部５１ｂをベース部５１ａに対して直角に折り曲げ、係止辺部５１ｂの後面と収容枠１０の後端面との間の前後方向寸法が化粧板２１の板厚と略同一の間隔を有して鉛直上方に突出する形態を例示したが、係止機構５０は係る形態に限定されるものではなく、化粧板２１の下端部を係止可能なものであればよい。例えば、実施例と同様の係止金具を配設する場合にあっては、係止辺部の下部で収容枠の後端面との間に化粧板２１の板厚よりも幾分大きめの間隔を有し、係止辺部の上部で収容枠の後端面との間に化粧板２１の板厚よりも幾分小さめの間隔を有して係止辺部５１ｂをベース部５１ａに対して直角よりも小さい角度に折り曲げ、やや後傾姿勢で突出させる形態としてもよい。このような形態の係止機構では、化粧板２１の板厚に多少のばらつきがあっても係止金具が弾性的に吸収し、化粧板との間に隙間が生じたり係止金具に過大な応力を発生させたりすることがない。
【００３６】
このように構成される左右の係止機構５０と対峙する上方枠部１１の中央部に遊技盤２０を収容姿勢で仮止め支持し、また固定する仮支持固定機構６０が設けられている。仮支持固定機構６０の構成および作用を図６〜図１０に示しており、以下これらの各図を参照しながら仮支持固定機構６０について説明する。
【００３７】
ここで、図６は図３中の矢印ＶＩ−ＶＩに沿った断面図であって遊技盤２０を収容枠１０に固定保持させた状態における仮支持固定機構６０を主として示す側断面図、図７は収容枠１０の裏面側斜め上方から見た仮支持固定機構６０の分解斜視図、図８（ａ）（ｂ）は仮支持固定機構６０を前枠２の前面側から見た正面図であり、このうち図８（ａ）は固定金具を固定位置に位置させて遊技盤２０を固定保持させた状態の正面図、図８（ｂ）は固定金具を開放位置に位置させ仮止め金具を仮止め位置に位置させて遊技盤２０を仮止め支持させた状態の正面図である。また、図９は仮止め位置にある仮止め金具と収容枠１０に収容される以前の遊技盤２０との関係を示す側断面図、図１０は遊技盤２０を収容枠に収容させる前後における遊技盤と仮止め金具との関係を示す説明図（側断面図）である。
【００３８】
仮支持固定機構６０は、上方枠部１１に前後方向に延びて軸支され前枠２の前面側から回動操作可能に取り付けられる操作ボルト６１、上方枠部１１の裏面側で操作ボルト６１の係合連結部６１ｂに係止されるワッシャ６２、前面がワッシャ６２に支持されるとともに操作ボルトの係合連結部６１ｂに係止されて垂直面内に揺動変位可能に支持される固定金具６３、操作ボルトの係合連結部６１ｂに係止されて固定金具６３とともに垂直面内に揺動変位可能に支持される仮止め金具６５、固定金具６３と仮止め金具６５との間に挟持されて両金具間隔を所定間隔に保持させるカラー６４、操作ボルトのネジ部に係合してワッシャ６２，固定金具６３，カラー６４，仮止め金具６５を操作ボルトの係合連結部６１ｂに係止させる厚板座金６６およびナット６７などから構成される。
【００３９】
操作ボルト６１は、いわゆるストリッパボルトまたはショルダボルトと称される形態の六角穴付きボルトをベースとし、軸部の先端側を上下左右平行に面取りして四角形の断面形状を有する角柱状の係合連結部６１ｂを形成することにより構成される。
【００４０】
固定金具６３は、舌片状のレバー部６３ａ、レバー部６３ａの基端側に操作ボルトの係合連結部６１ｂの断面形状に合わせて穿設された角孔状の係合孔６３ｂ、レバー部６３ａの先端側が緩やかに前方に曲げ成型されて形成された押圧部６３ｃなどから構成され、板厚２〜３ｍｍ程度の冷間圧延鋼板やステンレス鋼板等の金属材料をパンチングやプレス成形等の公知の加工手段を用いて図示する形状に成型し、必要に応じて所要の表面処理を施して形成する。
【００４１】
仮止め金具６５は、アーム部６５ａ、アーム部の基端側に操作ボルトの係合連結部６１ｂの断面形状に合わせて穿設された角孔状の係合孔６５ｂ、アーム部６５ａの先端側が多段に折り曲げられて形成された導入辺部６５ｅ、中間辺部６５ｃ、係止辺部６５ｆなどの各部から構成される。仮止め金具６５は、板厚０．５〜１ｍｍ程度のステンレス鋼板や冷間圧延鋼板等の金属材料をパンチングやベンディング、プレス成形等の公知の加工手段を用いて図示する形状に成型し、必要に応じて所要の表面処理を施して形成する。なお仮止め金具６５の板厚およびアーム部の幅は使用する金属材料のヤング率やアーム長さ等に基づいて所定のバネ定数となるように設定されており、アーム部６５ａが適当な弾性力を有して前後方向に揺動変位可能に構成されている。
【００４２】
上方枠部１１の中央には、上方枠部１１から下方に延びて正面視、台形形状の当て板部１１ａが延出され、その上方に仮支持固定機構６０の取付部が形成されている。取付部には前枠２の前方から後方に延びて円筒状の軸受ボス１１ｃが形成され、その中心に前後を貫通して操作ボルト６１の軸部を回動自在に軸支する軸受孔が形成されている。軸受ボス１１ｃにおける後端面の形成位置は、収容枠１０に遊技盤２０を収容したときの化粧板２１の前面の配設位置に基づいて設定され、操作ボルト６１を軸受孔に軸支させワッシャ６２を軸受ボスの後端面に当接支持させてその後方に固定金具６３を係止させたときに、レバー部６３ａの後面が化粧板２１の前面の配設位置よりもわずかに後方に位置するように（すなわち化粧板２１を後方に押圧するように）形成されている。
【００４３】
軸受ボス１１ｃの後端面と当て板部１１ａとの間には、上方枠部１１を上下に連通する開口部１１ｄが形成されている。開口部１１ｄは固定金具６３および仮止め金具６５の配設位置および揺動軌跡に合わせて形成されており、固定金具６３および仮止め金具６５の各先端部を開口部１１ｄを通して上方枠部１１の下方に突出させ、あるいは上方枠部１１内に収容させることができるようになっている。
【００４４】
仮支持固定機構６０は、前枠２の前面側から操作ボルト６１を軸受ボス１１ｃの軸受孔に挿通させ、裏面側に突出した係合連結部６１ｂにワッシャ６２、固定金具６３、カラー６４、仮止め金具６５を順次係合させて支持させ、雄ネジ部に厚板座金６６を介してナット６７を螺合させて締め付けることにより上方枠部１１に取り付けられる。ここで、固定金具６３と仮止め金具６５とは、レバー部６３ａの延びる方向とアーム部６５ａの延びる方向とが９０度の相対角をもって直交するように係合連結部６１ｂに係合され、両金具が直交姿勢を維持して一体的に揺動可能に操作ボルト６１に取り付けられる。
【００４５】
なお、固定金具６３がワッシャ６２を介してに支持されており、操作ボルト６１を回動させたときに軸受ボス１１ｃの後端面とワッシャ６２とが接する円環領域で相対摺動するように構成されている。このため操作ボルト６１を軽い操作力で回転させて固定金具６３および仮止め金具６５を滑らかに揺動させることができる。
【００４６】
こうして固定金具６３および仮止め金具６５が組み付けられると、操作ボルト６１を前枠２の前面側から回動操作することで、固定金具６３を上方枠部１１から下方（収容枠１０の内方）に突出させて収容姿勢に位置する化粧板２１を固定する固定位置（図８（ａ）の状態）と、上方枠部１１に格納させて化粧板２１との係合を解除する開放位置（図８（ｂ）の状態）とに揺動変位させることができる。また、固定金具６３を開放位置に位置させたときには、仮止め金具６５が収容枠１０の内方に突出する仮止め位置に配設され、遊技盤２０を収容枠１０に着脱可能に収容するとともに、収容された遊技盤２０と係合して遊技盤を収容姿勢で仮止め支持する。
【００４７】
一方、化粧板２１の上縁中央部には上縁係合部４１が形成されている。上縁係合部４１は、化粧板２１の裏面側に形成された当て板受容部４１ａ、化粧板２１の上端面たる上辺部４１ｂ、化粧板２１の前面側に形成された仮止め金具受容溝４１ｃ、当て板受容部４１ａと上辺部４１ｂとが交わる上端角部が斜めにカットされて斜面状に形成された導入面４１ｅ、上辺部４１ｂと仮止め金具受容溝４１ｃとの間に斜面状に形成された係止面４１ｆなどから構成される。
【００４８】
このうち、当て板受容部４１ａは、上方枠部１１から収容枠１０の内方に向けて突出形成された当て板部１１ａの形成位置及び形状に合わせて、化粧板２１の裏面側を当て板部１１ａの厚さ分ザグリ加工することによって形成され、遊技盤２０を収容枠１０に収容させたときに当て板部１１ａが当て板受容部４１ａに受容され、収容枠１０の後端面と化粧板２１の裏面とが前後に位置整合してフラットな背面を形成するようになっている。
【００４９】
ここで、導入面４１ｅは、係止機構５０に化粧板２１の下端部を係合させて遊技盤２０を閉鎖方向に揺動させたときに、仮止め位置にある仮止め金具の導入辺部６５ｅと当接し、導入辺部６５ｅが導入面４１ｅに乗り上げられるように形成されている。また係止面４１ｆは、仮止め金具６５の係止辺部６５ｆの配設位置と整合して形成され、遊技盤２０が収容枠１０に収容されたときに係止辺部６５ｆと係合して遊技盤２０を収容姿勢で仮止め可能に形成されている。
【００５０】
さて、以上のように構成される仮支持固定機構６０の作用について、まず遊技盤２０を収容枠１０に装着する場合から説明する。
【００５１】
作業者は、ガラス扉５を開放させ、前枠２の前面側から六角レンチ等を用いて操作ボルト６１を回動操作し、固定金具６３を上方に揺動させて上方枠部１１に格納させた開放位置に位置させる。このとき、仮止め金具６５が下向きに配設され、アーム部先端側が上方枠部１１の開口部１１ｄから収容枠１０の内方に突出した仮止め位置に配設される（図９を参照）。なお、後述する左右の固定機構８０についても操作ボルト８２を回動操作して固定金具８１を下方（または上方）に揺動待避させておく。
【００５２】
そして、既述した係止機構５０を利用して化粧板２１の下端部を収容枠１０に斜めに挿入して係止金具５１に係合させ、遊技盤２０を前傾姿勢でベース部５１ａ上に弾性的に支持させる。この状態で作業者が前傾方向への力を弱めると係止金具５１の弾性力により遊技盤２０の上部が後方に揺動され、図１０に実線で示すように、化粧板２１における上縁係合部４１の導入面４１ｅが仮止め金具６５の導入辺部６５ｅに当接した仮支持姿勢に支持される。
【００５３】
この仮支持姿勢から作業者が遊技盤２０の上部を後方に押圧すると、後方に移動する導入面４１ｅに押圧されてアーム部６５ａが後方に揺動変位して化粧板２１の進入を許容するとともに、導入辺部６５ｅが導入面４１ｅの斜面上を滑るように上動する。化粧板２１がさらに傾動されて導入辺部６５ｅの下端角部が導入面４１ｅの上端まで移動し係合が解除されると、後方に弾性変形していたアーム部６５ａが弾性力によって前方に自己復帰し、係止辺部６５ｆが係止面４１ｆを滑り降りるように変位して係止辺部６５ｆと係止面４１ｆとが係合する。またこのとき、化粧板の当て板受容部４１ａが当て板部１１ａに当接し、遊技盤２０が収容姿勢で収容枠１０に仮止めされる。
【００５４】
この仮止め状態では、仮止め金具６５の係止辺部６５ｆが化粧板２１の係止面４１ｆと係合して化粧板２１を当て板部１１ａとの間に挟持するように保持しており、作業者が化粧板２１を後方に押圧する押圧力を解放しても遊技盤２０が収容姿勢のまま維持される（図８（ｂ）および図６中に二点鎖線で付記する仮止め金具６５を参照）。このため、遊技盤２０が収容枠１０から倒れ出て来たり滑り出て来るようなことがない。
【００５５】
このようにして遊技盤２０が仮止めされたのち、作業者は前枠２の前方から操作ボルト６１を時計回りに回動操作する。操作ボルト６１が回動されると仮止め金具６５の先端部が円弧軌跡を描いて上動するとともに、これに伴って固定金具６３の先端部が円弧軌跡を描いて下動し、まず固定金具６３のレバー部の先端側に前方に緩やかに曲げ成形された押圧部６３ｃの曲面領域が化粧板２１の前面と滑らかに係合する。さらに操作ボルト６１が回動されると、仮止め金具の係止辺部６５ｆと化粧板の係止面４１ｆとの係合が解除される一方で、押圧部６３ｃ先端側の曲面領域が下動するに伴って押圧部６３ｃ基端側の平坦領域が化粧板２１の前面と係合し化粧板２１を後方に押圧する。
【００５６】
そして、固定金具のレバー部６３ａが鉛直下方に延びる固定位置まで揺動されると、仮止め金具６５が上方枠部１１内に水平に格納され、固定金具の押圧部６３ｃが化粧板２１を後方に押圧して背後の当て板部４１ａとの間に化粧板２１を挟持するように遊技盤２０を収容枠１０に固定保持する（図８（ａ）および図６を参照）。
【００５７】
こうして遊技盤２０が収容枠１０に固定保持された状態では、当て板部１１ａが当て板受容部４１ａに受容されて収容枠１０の後端面と化粧板２１の裏面とが前後に位置整合して平坦な背面が形成される。このため、収容枠１０の裏面側に平坦面が形成され、この後方に閉鎖される裏セット盤３０との整合性を高めた構成を実現している。また、当て板部１１ａを上方枠部１１の内面から収容枠１０の内方に向けて突出形成させるとともに、化粧板２１の裏面側をザグリ加工することによって当て板受容部４１ａを形成しているため、収容枠１０を含む前枠２の厚さ寸法を薄型に構成することができる。
【００５８】
一方、収容枠１０に固定保持された遊技盤２０を取り外す際には、ガラス扉５を開放させ、前枠２の前方から六角レンチ等を用いて操作ボルト６１を反時計回りに回動操作する。
【００５９】
操作ボルト６１が反時計回りに回動されると、固定金具６３の押圧部６３ｃが円弧軌跡を描いて上動するとともに、これに伴って仮止め金具６５の先端部が円弧軌跡を描いて下動し、まず仮止め金具における係止辺部６５ｆの後方角部が化粧板の係止面４１ｆに係合する。さらに操作ボルト６１が回動されると、仮止め金具の係止辺部６５ｆと化粧板の係止面４１ｆとが面接触で係合する一方、押圧部６３ｃが上動して固定金具６３と化粧板２１との係合が解除される。
【００６０】
そして、固定金具６３が上方枠部１１内に水平に格納される開放位置まで揺動されると、仮止め金具のレバー部６５ａが鉛直下方に延びる仮止め位置に配設され、固定金具の係止辺部６５ｆが化粧板の係止面４１ｆと係合して遊技盤２０を収容枠１０に仮止め支持する（図８（ｂ）を参照）。このため、作業者が開放作業中に遊技盤２０を押圧していなくても、遊技盤２０が収容枠１０から倒れ出て来たり滑り出て来るようなことがなく、固定金具６３を開放位置に位置させたときにも遊技盤２０が収容枠１０に仮止めされた仮止め姿勢で保持される。
【００６１】
次いで、この仮止め姿勢から、例えば遊技盤上方の遊技釘や外レールに等に指をかけて化粧板２１を前方に引き出す。このとき、遊技盤２０は化粧板２１の前面下端部が係止金具５１によって係止されているため、当該係止部を中心として前方に傾動しようとする。このため係止面４１ｆと係合状態にある係止辺部６５ｆが前方に引かれてアーム部６５ａが弾性的に揺動変形し、遊技盤の前傾方向への傾動を許容するとともに、係止辺部６５ｆが係止面４１ｆを滑るように上動する。
【００６２】
そして、係止辺部６５ｆの下端角部が係止面４１ｆの上端まで移動して係合が解除されると、前方に弾性変形していたアーム部６５ａが弾性力によって後方に自己復帰し、図９に示す仮止め前の状態に戻る。この状態では化粧板２１の下端部が係止金具５１に弾性的に支持された仮支持姿勢にあり、遊技盤２０の前面側を支えていなくても遊技盤が前方に倒れ出ることがない。そこで、作業者は遊技盤２０を搬出するに適宜な位置を両手で把持し、化粧板２１を斜め上方に引き出すことで遊技盤２０を取り外すことができる。
【００６３】
このように、本構成のパチンコ機ＰＭでは、遊技盤２０を係止機構５０に係止させたときに遊技盤２０が収容方向に付勢された仮支持姿勢に係止されるとともに、遊技盤２０を収容枠１０に収容させたときに仮支持固定機構６０によって収容姿勢に仮止めされ、固定金具６３による固定が解除された状態でも遊技盤が収容姿勢に維持される。このため、遊技盤の着脱作業時に、収容枠１０に収容させた遊技盤２０を支えていなくても遊技盤２０が倒れ出てきたり滑り出て来るようなことがなく、従って遊技盤を落下させ、あるいは遊技盤の裏面側に接続したコネクタケーブルを破損させるおそれを未然に防止して、非熟練者でも容易かつ安全に遊技盤の着脱交換を行うことができる。
【００６４】
なお、以上では、化粧板２１の上縁部に導入面４１ｅや係止面４１ｆを形成するとともに、仮止め金具６５の先端部を多段に屈曲成形して導入辺部６５ｅおよび係止辺部６５ｆを形成し、係止辺部６５ｆが上辺部４１ｂを乗り越えるように相対変位して係止面４１ｆと係合し遊技盤２０を仮止め支持する実施形態を例示したが、化粧板２１の上縁部に上記のような導入面４１ｅや係止面４１ｆ、仮止め金具受容溝４１ｃ等を設けずに構成することもできる。すなわち、化粧板２１の上縁係合部４１に当て板受容部４１ａと上辺部４１ｂのみを設けて上縁を平坦に形成するとともに、図１０中に二点鎖線で付記するように、先端に曲面状の係止部を形成した仮止め金具６５′を前述同様に操作ボルト６１に係合支持させ、仮止め金具６５′の弾性力を利用して係合部と上辺部とを摩擦係合させて遊技盤２０を仮止め支持するように構成することも可能である。
【００６５】
また、実施例では遊技盤の着脱作業の容易さや係止機構５０による遊技盤２０の仮支持姿勢の安定化、下方枠部１２に配設される機構構成の簡明化、および化粧板２１の上下辺の浮き上がり防止などの観点から、係止機構５０を収容枠１０における下方枠部１２に設け、仮支持固定機構６０を上方枠部１１に設けた例を示したが、これらの各機構は係止機構５０と仮支持固定機構６０とが対峙する枠部に配設される位置関係であれば適宜に変更して設けることができ、例えば、上下の配設位置関係を逆に構成し、あるいは左右の枠部に対峙するように配設して構成することも可能である。
【００６６】
さらに、実施例では固定金具６３と仮止め金具６５とを９０度の相対角度をもって操作ボルト６１に係合連結させ、操作ボルト６１をレンチを用いて回動操作することで両金具を一体的に揺動変位させて、固定金具６３の開放位置で仮止め金具６５が仮止め位置に配設される形態を例示したが、固定金具と仮止め金具とが一体的に変位して固定金具の開放位置で仮止め金具が仮止め位置になるように構成するものであればよく、両金具の相対角度や操作形態、変位形態等を適宜変更して構成することができる。例えば、下方に突出する係止辺部を形成した固定金具を上方枠部に左右方向にスライド移動可能に配設する一方、化粧板の上縁部に係止辺部と係脱可能な開放溝を前後に延びて形成し、係合位置で係止辺部と化粧板の前面とが係合して遊技盤を固定し、開放位置で係止辺部と開放溝とが位置整合して遊技盤を前後に通過可能に構成するとともに、固定金具に既述したと同様の仮止め金具を固定して固定金具とともにスライド移動可能に配設し、化粧板の上部に既述したと同様な上縁係合部を形成するような形態であっても同様の作用、効果を得ることができる。
【００６７】
次に、収容枠１０における左右の枠部１３，１４に配設される固定機構８０について図１１〜図１３を参照して説明する。なお、右方枠部１３に配設される固定機構と左方枠部１４に配設される固定機構とは共通部品を用いて左右対称に配設されている。そこで、以下では右方枠部１３に配設される固定機構８０を例示して説明し、左方枠部１４に配設される固定機構８０についての重複説明を省略する。ここで、図１１は図３中の矢印ＸＩ−ＸＩに沿った断面図であって遊技盤２０を収容枠１０に収容する前の状態における固定機構８０の平断面図、図１２は収容枠１０の前面側斜め上方から見た固定機構８０の分解斜視図、図１３は図１１に対応し遊技盤２０を収容枠１０に収容して固定保持させた状態における固定機構８０の平断面図である。
【００６８】
固定機構８０は、右方枠部１３に前後に延びて軸支され収容枠１０の前面側から回動操作可能に取り付けられる操作ボルト８２、操作ボルト８２に連結されて垂直面内に揺動可能に支持される固定金具８１、操作ボルト８２を固定するバネ座金８３およびナット８４などから構成される。
【００６９】
固定金具８１は、舌片状のレバー部８１ａ、レバー部８１ａの基端側に穿設された角孔状の係合孔８１ｂ、レバー部８１ａの先端側にエンボス加工により形成されて後方に球面状に突出する押圧部８１ｃなどからなり、既述した固定金具６３と同様の金属材料を同様の加工手段により成形し所要の表面処理を行って形成される。また操作ボルト８２は六角穴付きボルトをベースとし、プレス成形や切削加工によりボルト頭部の座面側に係合孔８１ｂと係脱可能な角柱状の係合部８２ｂを形成して構成される。
【００７０】
右方枠部１３には、前後に延びて軸受ボス１３ｃが形成され、その中心に軸受ボス１３ｃの前後を貫通して操作ボルト８２の軸部を回動自在に軸支する軸受孔が形成されている。軸受ボス１３ｃの前端側には操作ボルトの角柱部８２ｂを受容するとともに、前端面で固定金具８１の係合孔８１ｂの周囲を支持する円環状の支持部１３ｂが形成されている。また、軸受ボス１３ｃの後端側は収容枠１０の後端面よりも浅く設定されて座面が形成されており、バネ座金８３およびナット８４を受容して操作ボルト８２のネジ先端部が後方に突出しないように構成されている。なお、支持部１３ｂの前端面の形成位置は、固定金具８１の後面が支持部１３ｂに当接するように取り付けたときに、固定金具８１における押圧部８１ｃの突出端面が収容姿勢にある化粧板２１の前面よりも幾分後方に位置するように（すなわち、押圧部８１ｃが押圧力をもって化粧板２１と係合するように）設定されている。
【００７１】
左方枠部１３の後端側には、固定金具８１の揺動領域に合わせて左方枠部１３の内面から収容枠１０の内方に向けて突出する当て板部１３ａが形成され、その基端側には軸受ボス１３ｃと同軸に収容枠１０の内方に円弧状に突出する位置決め突起部１３ｓが形成されている。
【００７２】
一方、化粧板２１の裏面側には、遊技盤２０の収容姿勢における当て板部１３ａの位置及び形状に合わせてザグリ加工された当て板受容部４３ａが形成されるとともに、位置決め突起部１３ｓと係合可能なアーチ状の位置決め受容部４３ｓが形成されている。また、化粧板２１の前面に固定されたランプ具２３には、固定金具８１の揺動軌跡に合わせて金具受容部２３ｃが形成されており、固定金具８１を揺動変位させたときに固定金具の先端側を受容可能に構成されている。
【００７３】
固定機構８０は、固定金具８１の前面側から係合孔８１ｂに操作ボルト８２を通して係合孔８１ｂと係合部８２ｂとを係合させて、前枠２の前面側から操作ボルト８２を軸受ボス１３ｃの軸受孔に挿通させ、裏面側に突出した雄ネジ部にバネ座金８３およびナット８４を係合させて締め付けることにより右方枠部１３に取り付けられる。取付姿勢にあっては、固定金具８１が支持部１３ｂの前端面に当接支持されて垂直面内で操作ボルト８２の軸まわりに揺動可能に配設され、操作ボルト８２を前枠２の前面側から回動操作することで、レバー部先端側の押圧部８１ｃを収容枠１０の内方に突出させ、あるいは収容枠１０の外方に待避させることができる。
【００７４】
このように構成される固定機構８０では、図１１に示すように、固定金具８１のレバー部８１ａを下方（または上方）に位置させてレバー部８１ａを収容枠１０の前方延長線上から待避させた状態で、既述したように遊技盤２０を収容枠内に収容させる。このとき、遊技盤２０は化粧板２１の下端面が係止金具５１のベース部５１ａに支持されて上下方向に位置決めされ、また化粧板２１の左右に形成された位置決め受容部４３ｓが左右の枠部１３，１４に形成された位置決め突起部１３ｓと係合して左右方向に位置決めされた状態で、仮支持固定機構６０によって収容枠１０に仮止めされる。
【００７５】
そこで、作業者は図１１中に二点鎖線で付記するように前枠２の前方から六角レンチＬを用いて操作ボルト８２を回動させ、固定金具８１を時計回りに揺動させる。このとき固定金具８１の先端部は円弧軌跡を描いて上方に揺動し、その先端部がランプ具２３に形成された金具受容部２３ｃからランプ具２３の内側に進入して受容されるとともに、押圧部８１ｃが化粧板２１の前面に乗り上げるように滑らかに係合し、レバー部８１ａがわずかに弾性変形して化粧板２１を後方に押圧する。これにより、遊技盤２０は当て板部１３ａと固定金具８１との間に所定押圧力をもって挟持され収容枠１０に固定保持される。
【００７６】
こうして遊技盤２０が収容枠１０に固定保持されると、当て板部１３ａが当て板受容部４３ａに受容されて化粧板２１の後面と収容枠１０の後端面とが同一面上に配設され、裏セット盤３０との整合面が平坦に形成される。また、当て板部１３ａが右方枠部１３の内面から収容枠１０の内方に向けて突出成形され、当て板受容部４３ａが当て板部１３ａの位置及び形状に合わせて化粧板２１の裏面側をザグリ加工することによって形成されているため、収容枠１０を含む前枠２の厚さ寸法を薄型に構成することができる。
【００７７】
また、固定機構８０ではランプ具２３に金具受容部２３ｓを設け、固定金具８１の先端部がランプ具２３の内方に進入して化粧板２１を固定保持する構成のため、固定金具８１がガラス扉５の前面側から殆ど視認されることがなく、遊技機の意匠を妨げることなく着脱操作が容易な固定機構を提供することができる。
【００７８】
そして、以上のようにして構成される遊技盤の固定装置は、遊技盤２０（化粧板２１）の下辺左右に係止機構５０，５０が設けられ、遊技盤２０の上辺中央部に仮支持固定機構６０が設けられて、遊技盤２０の下辺を基準とする二等辺三角形の固定形態が形成される。また、左右の固定機構８０，８０により遊技盤２０の左右の側辺部がこれに加えて固定され下辺を基準とする五角形の固定形態が形成される。このため、従来の左右枠部に設けられた固定機構のように上方枠部および下方枠部の中央部で遊技盤が浮き上がるようなことがなく、さらに左右枠部の固定機構を加えた五角形の固定形態により遊技盤２０を確実に収容枠に固定して安定性の高い固定機構を構成している。
【００７９】
なお、以上では、収容枠１０が前枠２の前面側に一体に形成され、遊技盤２０を前枠２の前方から着脱する前枠前方着脱形態のパチンコ機ＰＭを例に説明したが、本発明はかかる着脱形態の遊技機に限るものではない。例えば、収容枠が前枠の裏面側に設けられ、裏セット盤を開放させた状態で前枠の後方から遊技盤を着脱する前枠後方着脱形態の遊技機や、収容枠が裏セット盤の前面側に設けられ、前枠の前方または裏セット盤の前方から遊技盤を着脱する裏機構枠前方着脱形態の遊技機、あるいは、これらの各形態において収容枠が前枠や裏セット盤と別体に形成され、これを前枠または裏セット盤に組み付けることで収容枠が配設される遊技機などにおいても同様に構成し同様の効果を得ることができる。
【００８０】
【発明の効果】
以上説明したように、本発明では、所定の遊技領域が形成された遊技盤と、この遊技盤を着脱可能に収容して遊技領域をガラス扉に臨むように配設させる枠部材と、枠部材に固定位置と開放位置とに変位可能に取り付けられ、枠部材に収容された遊技盤と係脱可能に係合し固定位置において遊技盤を枠部材に固定保持させる固定部材と、固定部材と一体的に変位可能に取り付けられ固定部材が開放位置に位置したときに仮止め位置に配設される仮止め部材とを備え、仮止め部材が仮止め位置にある状態では、遊技盤が枠部材に着脱可能に収容されるとともに、仮止め部材が遊技盤と係脱可能に係合し、枠部材に収容された遊技盤を収容姿勢で仮止め支持するように遊技盤の仮支持機構を構成する。
【００８１】
このため、仮止め部材を仮止め位置に位置させて遊技盤を収容させると、遊技盤が仮止め部材と係合して収容姿勢に仮止め支持され、作業者が手を離しても遊技盤が収容姿勢のまま保持される。従って、このような仮支持機構を備えた遊技機では作業者が遊技盤を押さえていなくても遊技盤が傾動したり滑り出たりするようなことがなく、熟練作業者でなくとも容易かつ安全に盤面交換を行うことができる。
【図面の簡単な説明】
【図１】本発明に係る遊技盤の仮支持機構を備える遊技機の一例として示すパチンコ機の正面図である。
【図２】上記パチンコ機の裏面側を示す背面図である。
【図３】上記パチンコ機からガラス扉や上下の球皿、遊技盤、裏セット盤などの遊技構成部品を取り外した状態の前枠の正面図である。
【図４】図３中の矢印ＩＶ方向に見た係止機構近傍の側断面図である。
【図５】上記係止機構を収容枠の裏面側から見た斜視図である。
【図６】図３中の矢印ＶＩ−ＶＩに沿った断面図であり、遊技盤を収容枠に固定保持させた状態における仮支持機構の側断面図である。
【図７】収容枠の裏面側斜め上方から見た仮支持機構の分解斜視図である。
【図８】仮支持機構を前枠の前面側から見た正面図であり、このうち図８（ａ）は固定金具を固定位置に位置させて遊技盤を固定保持させた状態の正面図、図８（ｂ）は固定金具を開放位置に位置させ仮止め金具を仮止め位置に位置させて遊技盤を仮止め支持させた状態の正面図である。
【図９】仮止め位置にある仮止め金具と収容枠に収容される以前の遊技盤との関係を示す側断面図である。
【図１０】遊技盤を収容枠に収容させる前後における遊技盤と仮止め金具との関係を示す説明図（側断面図）である。
【図１１】図３中の矢印ＸＩ−ＸＩに沿った断面図であり、遊技盤を収容枠に収容する前の状態における固定機構の平断面図である。
【図１２】収容枠の前面側斜め上方から見た固定機構の分解斜視図である。
【図１３】遊技盤を収容枠に収容して固定保持させた状態の固定機構の平断面図である。
【符号の説明】
Ｂ１　メイン基板
Ｂ２　発射装置制御基板
Ｂ３　球払出制御基板
Ｂ４　ランプ・音声制御基板
Ｂ５　電源基板
ＰＡ　遊技領域
ＰＭ　パチンコ機
１　外枠
２　前枠
３ａ，３ｂ　ヒンジ機構
４　施錠装置
５　ガラス扉（５ａ，５ｂ　透明板材）
６　上球皿
７　下球皿
８　操作ハンドル
９　打球発射装置
１０　収容枠
１１　上方枠部（１１ａ　当て板部、１１ｃ　軸受ボス、１１ｄ　開口部）
１２　下方枠部（１２ａ　当て板部、１２ｂ　ボス、１２ｃ　受容切り欠き部）
１３　右方枠部（１３ａ　当て板部、１３ｂ　支持部、１３ｃ　軸受ボス、１３ｓ　位置決め突起部）
１４　左方枠部（１４ａ　当て板部）
２０　遊技盤
２１　化粧板
２３　ランプ具（２３ｓ　金具受容部）
２４　案内レール（２４ａ　外レール、２４ｂ　内レール）
２５ａ，２５ｂ　風車
２６　入賞具（２６ａ　一般入賞具、２６ｂ　始動入賞具、２６ｃ　アタッカー）
２７　アウト口
２８　図柄表示装置
３０　裏セット盤
３１　基枠体（３１ｗ　窓口）
３２，３３　裏セット盤揺動ヒンジ部材
３４　閉鎖レバー
３５　タンク部材
３６　整列樋部材
３７　賞球待機通路
３８　球払出装置
３９　賞球払出経路
４１　上縁係合部（４１ａ　当て板受容部、４１ｂ　上辺部、４１ｃ　仮止め金具受容溝、４１ｅ　導入面、４１ｆ　係止面）
４２ａ　当て板受容部
４２ｅ　逃げ面
４３ａ　当て板受容部
４３ｓ　位置決め受容部
４４ａ　当て板受容部
５０　係止機構
５１　仮止め金具（５１ａ　ベース部、５１ｂ　係止辺部、５１ｃ　後方辺部５１ｄ　挟持辺部、５１ｅ　固定辺部）
５８　ネジ
６０　仮支持固定機構
６１　操作ボルト
６２　ワッシャ
６３　固定金具（６３ａ　レバー部、６３ｂ　係合孔、６３ｃ　押圧部）
６４　カラー
６５　仮止め金具（６５ａ　アーム部、６５ｂ　係合孔、６５ｃ　中間辺部、６５ｅ　導入辺部、６５ｆ　係止辺部）
６６　厚板座金
６７　ナット
８０　固定機構
８１　固定金具（８１ａ　レバー部、８１ｂ　係合孔、８１ｃ　押圧部）
８２　操作ボルト
８３　バネ座金
８４　ナット
【図１】
2004024295.tif 000003
【図２】
2004024295.tif 000004
【図３】
2004024295.tif 000005
【図４】
2004024295.tif 000006
【図５】
2004024295.tif 000007
【図６】
2004024295.tif 000008
【図７】
2004024295.tif 000009
【図８】
2004024295.tif 000010
【図９】
2004024295.tif 000011
【図１０】
2004024295.tif 000012
【図１１】
2004024295.tif 000013
【図１２】
2004024295.tif 000014
【図１３】
2004024295.tif 000015
【手続補正書】
【提出日】平成14年6月21日(2002.6.21)
【手続補正１】
【補正対象書類名】図面
【補正対象項目名】図３
【補正方法】変更
【補正の内容】
【図３】
2004024295.tif 000016